(57)【要約】【課題】製品やその付属品を仕切壁で仕切られた別々の収納室に収納し、大きな衝撃を受けても仕切壁が外れずに、内容物が収納室から移動しない簡単な構造の収納箱を提供する。【解決手段】底壁２と第１乃至第４側壁３〜６とを有する収納箱１において、第１側壁３（仕切壁用側壁）に連続するフラップ部を折り畳んで底壁２に第１及び第２仕切壁１２，１３を立設する。これら第１及び第２仕切壁１２，１３で仕切られた第２収納室２２に電池４２や電池蓋４３を収納する。底壁２に電池４２や電池蓋４３が第１及び第２仕切壁１２，１３を通過して移動するのを防止する第１及び第２舌片３１，３２（仕切壁の補強手段）を設ける。【選択図】図２
2007284116.tif 000002
【特許請求の範囲】
【請求項１】
底壁と側壁と仕切壁とを備え、該仕切壁で仕切られた各収納室に電子機器及びその付属品を収納する収納箱において、
上記仕切壁は、上記側壁のうちの仕切壁用側壁に連続するフラップ部を折り畳んで該仕切壁用側壁と所定の間隔を空けて上記底壁に立設されるように構成され、
上記底壁には、上記電子機器又はその付属品が上記仕切壁を通過して移動するのを防止する仕切壁の補強手段が設けられている
ことを特徴とする収納箱。
【請求項２】
請求項１に記載の収納箱において、
上記仕切壁の補強手段は、上記底壁に設けたスリット及び該スリットに連続する切り起こし線で区切られた舌形状の舌片を、該切り起こし線を境に折り曲げて起立させることにより形成される
ことを特徴とする収納箱。
【請求項３】
請求項２に記載の収納箱において、
上記舌片の切り起こし線と上記仕切壁とは、交差する傾きをもつように構成されている
ことを特徴とする収納箱。
【請求項４】
請求項３に記載の収納箱において、
上記傾きは、１°以上で、かつ３０°以内である
ことを特徴とする収納箱。
【請求項５】
請求項２乃至４のいずれか１つに記載の収納箱において、
上記仕切壁用側壁から伸びるフラップ部を折り畳むことで上記底壁よりも高い位置にある上側底壁が形成され、
上記仕切壁は、上記上側底壁に連続するフラップ部を折り畳んで立設された中央仕切壁で構成され、
上記仕切壁用側壁と上側底壁と中央仕切壁とで第１収納室が仕切られている
ことを特徴とする収納箱。
【請求項６】
請求項５に記載の収納箱において、
上記舌片は、上記中央仕切壁を上記仕切壁用側壁と反対側から押さえ付けるように構成されている
ことを特徴とする収納箱。
【請求項７】
請求項６に記載の収納箱において、
上記舌片の向きは、先端部が上記中央仕切壁の上記仕切壁用側壁側に位置し、切り起こし線が該仕切壁用側壁と反対側に位置するように設定されている
ことを特徴とする収納箱。
【請求項８】
請求項２乃至４のいずれか１つに記載の収納箱において、
上記仕切壁用側壁から伸びるフラップ部を折り畳むことで上記底壁よりも高い位置にある上側底壁が形成され、
上記上側底壁に連続するフラップ部を折り畳んで底壁に中央仕切壁が立設され、
上記仕切壁は、上記中央仕切壁に連続するフラップ部を折り畳んで該中央仕切壁と略平行に立設された第１仕切壁と、該第１仕切壁に連続するフラップ部をさらに上記中央仕切壁側に折り畳んで該中央仕切壁に略垂直に交わる第２仕切壁とで構成され、
上記仕切壁用側壁と上側底壁と中央仕切壁とで第１収納室が仕切られ、
上記底壁と第１仕切壁と第２仕切壁と中央仕切壁で仕切られた空間で第２収納室が形成されている
ことを特徴とする収納箱。
【請求項９】
請求項８に記載の収納箱において、
上記舌片として、第１及び第２舌片を備え、
上記第１舌片は、上記第１仕切壁を上記仕切壁用側壁と反対側から押さえ付け、
上記第２舌片は、上記第２仕切壁を上記第２収納室と反対側から押さえ付けるように構成されている
ことを特徴とする収納箱。
【請求項１０】
請求項９に記載の収納箱において、
上記第１舌片の向きは、先端部が第１仕切壁の上記仕切壁用側壁側に位置し、切り起こし線が該仕切壁用側壁と反対側に位置するように設定され、
上記第２舌片の向きは、先端部が上記第２収納室側に位置し、切り起こし線が該第２収納室と反対側に位置するように設定されている
ことを特徴とする収納箱。
【請求項１１】
請求項８乃至１０のいずれか１つに記載の収納箱において、
上記第１舌片の切り起こし線と上記第１仕切壁とのなす角度と、上記第２舌片の切り起こし線と上記第２仕切壁とのなす角度とは、該第１及び第２仕切壁の長さに比例して大きくなるように構成されている
ことを特徴とする収納箱。
【請求項１２】
請求項２乃至１１のいずれか１つに記載の収納箱において、
上記舌片の切り起こし線は、上記仕切壁の幅方向中央側に行く程離れ、端に行く程接近するような傾きを有している
ことを特徴とする収納箱。
【請求項１３】
請求項２乃至１２のいずれか１つに記載の収納箱において、
上記舌片は、各仕切壁に少なくとも１個設けられている
ことを特徴とする収納箱。
【請求項１４】
請求項１乃至１３のいずれか１つに記載の収納箱において、
１枚の板紙から形成される
ことを特徴とする収納箱。
【請求項１５】
請求項１乃至１４のいずれか１つに記載の収納箱において、
上記底壁よりも若干大きな底板及び天板を有する外装箱の中に挿入され、上方から該天板又は外装箱の仕切板で覆われた状態で梱包される
ことを特徴とする収納箱。
【請求項１６】
請求項１乃至１５のいずれか１つに記載の収納箱において、
携帯通信機器及びその付属品を収納する収納箱である
ことを特徴とする収納箱。
【発明の詳細な説明】
【技術分野】
【０００１】
本発明は、電子機器及びその付属品の収納箱に関し、特にその仕切壁の補強構造に関する。
【背景技術】
【０００２】
電子機器及びその付属品を収納するための収納箱は、仕切壁で各収納室に仕切られ、これら収納室に電子機器本体、付属品等がそれぞれ収納されている。
【０００３】
例えば、特許文献１のように、１枚の段ボールを用いて蛍光スタンドを収納する際、底板から舌片を切り起こし、舌片の先端に突出部を設け、該突出部を上蓋の切溝に係止して舌片のズレを防止するものが知られている。
【０００４】
また、例えば、特許文献２のように、収納箱本体と仕切体とを別々に成形し、収納箱本体に仕切体を嵌め込んで収納箱の内部を仕切体で仕切り、仕切体にパックのフランジをのせてパックを宙吊りに支持するものが知られている。
【特許文献１】特開平８−４０４８０号公報
【特許文献２】特開２００５−１１９６８５号公報
【発明の開示】
【発明が解決しようとする課題】
【０００５】
しかしながら、上記特許文献１のように舌片の先端の突出部を上蓋の切溝にのみ係止した場合には、上蓋の肉厚程度の強度では、大きな衝撃があると、内容物の重みで舌片の先端の突出部が切溝から外れ、舌片を通過して内容物が収納室外に移動してしまったり、最悪の場合には、収納室から飛び出した内容物が、他の内容物と接触するなどにより破壊されてしまうことがある。
【０００６】
また、上記特許文献２のように収納箱本体と、仕切体とを別々の板紙から形成することは、構造が複雑となって製造コストがかさみ、組立工数も増えて経済的ではないという問題がある。
【０００７】
本発明は、かかる点に鑑みてなされたものであり、その目的とするところは、製品やその付属品を仕切壁で仕切られた別々の収納室に収納し、大きな衝撃を受けても仕切壁が外れずに、電子機器及びその付属品が収納室から移動しない簡単な構造の収納箱を提供することにある。
【課題を解決するための手段】
【０００８】
上記課題を解決するために、本発明では、底壁に仕切壁を補強する補強手段を設けた。
【０００９】
具体的には、第１の発明では、底壁と側壁と仕切壁とを備え、該仕切壁で仕切られた各収納室に電子機器及びその付属品を収納する収納箱において、
上記仕切壁は、上記側壁のうちの仕切壁用側壁に連続するフラップ部を折り畳んで該仕切壁用側壁と所定の間隔を空けて上記底壁に立設されるように構成され、
上記底壁には、上記電子機器又はその付属品が上記仕切壁を通過して移動するのを防止する仕切壁の補強手段が設けられている。
【００１０】
上記の構成によると、仕切壁は、仕切壁用側壁に連続するフラップ部で形成されているので、別部材により形成する必要がない簡単な構造であり、また、単に別部品の仕切壁を立設している場合と比べて強度が高い。また、仕切壁は、底壁に設けた補強手段によって補強されているので、電子機器又はその付属品が上記仕切壁を通過して移動することはない。
【００１１】
第２の発明では、上記仕切壁の補強手段は、上記底壁に設けたスリット及び該スリットに連続する切り起こし線で区切られた舌形状の舌片を、該切り起こし線を境に折り曲げて起立させることにより形成される。
【００１２】
上記の構成によると、仕切壁の補強手段を別部品で構成することなく、底壁の一部にスリットを成形して切り起こし線を境に起立させるだけで容易に形成できるので、製造コストが抑えられ、また、電子機器又はその付属品が仕切壁を通過して移動するのが防止される。
【００１３】
第３の発明では、上記舌片の切り起こし線と上記仕切壁とは、交差する傾きをもつように構成されている。
【００１４】
すなわち、仕切壁を完全に底壁に固定した場合、落下等の衝撃により、電子機器やその部品が収納室内で移動して仕切壁に荷重が加わると、底壁側は移動できないため仕切壁の上側が広がるように変形し、電子機器等は、仕切壁の上側から他の収納室へ移動しようとする。しかし、上記の構成によると、舌片が面全体で仕切壁と接触していないことから、仕切壁の多少の変形を許容するので、仕切壁が底壁に対して傾かずに変形する。このため、仕切壁の上側が開くように変形するのが遅れるため、電子機器又はその付属品が仕切壁を通過して移動するのが防止される。
【００１５】
第４の発明では、上記傾きは、１°以上で、かつ３０°以内である
すなわち、１°よりも小さければ、仕切壁と舌片とがほぼ完全に一致する場合があり、この場合には、仕切壁の底壁側の変形が許容されないため、電子機器等の荷重により仕切壁の上側が広がるように変形し、この部分から抜け出して他の収納室に移動する場合がある。一方、３０°を超えると、仕切壁と舌片との角度が大きすぎ、仕切壁が変形しすぎて電子機器等が抜け出すことが考えられる。しかし、上記の構成によると、仕切壁の適度な変形を許容するので、仕切壁の上側のみが変形して上下方向に傾くのを遅らせて、仕切壁の上側から電子機器等が抜け出すのが防止され、電子機器又はその付属品が互いに傷つけ合うことはない。
【００１６】
第５の発明では、上記仕切壁用側壁から伸びるフラップ部を折り畳むことで上記底壁よりも高い位置にある上側底壁が形成され、
上記仕切壁は、上記上側底壁に連続するフラップ部を折り畳んで立設された中央仕切壁で構成され、
上記仕切壁用側壁と上側底壁と中央仕切壁とで第１収納室が形成されている。
【００１７】
上記の構成によると、第１収納室は、底壁よりも高い位置に形成された上側底壁と中央仕切壁とで区切られているので、運搬時の上下方向の移動が制限されるため、振動に弱い電子機器を収納するのに適している。
【００１８】
第６の発明では、上記舌片は、上記仕切壁を上記仕切壁用側壁と反対側から押さえ付けるように構成されている。
【００１９】
上記の構成によると、単に仕切壁から突出する凸部を他の壁に挿入するだけのものに比べ、仕切壁用側壁と反対側へ押す力に対して強いので、薄い仕切壁でも収納室から外方向へ向かう衝撃が吸収される。
【００２０】
第７の発明では、上記舌片の向きは、先端部が上記中央仕切壁の上記仕切壁用側壁側に位置し、切り起こし線が該仕切壁用側壁と反対側に位置するように設定されている。
【００２１】
上記の構成によると、舌片が切り起こされた状態から元に戻ろうとする力で仕切壁の変形が効果的に防止される。
【００２２】
第８の発明では、上記仕切壁用側壁から伸びるフラップ部を折り畳むことで上記底壁よりも高い位置にある上側底壁が形成され、
上記上側底壁に連続するフラップ部を折り畳んで底壁に中央仕切壁が立設され、
上記仕切壁は、上記中央仕切壁に連続するフラップ部を折り畳んで該中央仕切壁と略平行に立設された第１仕切壁と、該第１仕切壁に連続するフラップ部をさらに上記中央仕切壁側に折り畳んで該中央仕切壁に略垂直に交わる第２仕切壁とで構成され、
上記仕切壁用側壁と上側底壁と中央仕切壁とで第１収納室が仕切られ、
上記底壁と第１仕切壁と第２仕切壁と中央仕切壁で仕切られた空間で第２収納室が形成されている。
【００２３】
上記の構成によると、第１収納室は、底壁よりも高い位置に形成された上側底壁と中央仕切壁とで区切られて、運搬時の上下方向の移動が制限されるため、振動に弱い電子機器を収納するのに適している。第２収納室は、底壁と第１仕切壁と第２仕切壁と中央仕切壁で仕切られた比較的狭い空間であり、第１及び第２仕切壁が補強手段で補強されているので、電池などの小さくて質量の大きいものの収納に適している。
【００２４】
第９の発明では、上記舌片として、第１及び第２舌片を備え、
上記第１舌片は、上記第１仕切壁を上記仕切壁用側壁と反対側から押さえ付け、
上記第２舌片は、上記第２仕切壁を上記第２収納室と反対側から押さえ付けるように構成されている。
【００２５】
上記の構成によると、第１及び第２仕切壁が第１及び第２舌片でそれぞれ第２収納室を外側から押さえ付けているので、第２収納室内に収納されたものが第１及び第２仕切壁を越えて移動するのが効果的に防止される。
【００２６】
第１０の発明では、上記第１舌片の向きは、先端部が第１仕切壁の上記仕切壁用側壁側に位置し、切り起こし線が該仕切壁用側壁と反対側に位置するように設定され、
上記第２舌片の向きは、先端部が上記第２収納室側に位置し、切り起こし線が該第２収納室と反対側に位置するように設定されている。
【００２７】
上記の構成によると、第１及び第２舌片が切り起こされた状態から元に戻ろうとする力で第１及び仕切壁の変形が効果的に防止されるので、第２収納室内に収納されたものが第１及び第２仕切壁を越えて移動するのが効果的に防止される。
【００２８】
第１１の発明では、上記第１舌片の切り起こし線と上記第１仕切壁とのなす角度と、上記第２舌片の切り起こし線と上記第２仕切壁とのなす角度とは、該第１及び第２仕切壁の長さに比例して大きくなるように構成されている。
【００２９】
すなわち、同じ衝撃であれば、同じ高さの仕切壁は、その長さが長いほど変形が大きく、短いほど変形が小さいことから、上記の構成によると、仕切壁の長さに合わせて適度に仕切壁が変形するので、電子機器又はその付属品が仕切壁を通過して移動するのが防止される。
【００３０】
第１２の発明では、上記舌片の切り起こし線は、上記仕切壁の幅方向中央側に行く程離れ、端に行く程接近するような傾きを有している。
【００３１】
上記の構成によると、仕切壁が収納室側から電子機器又はその付属品によって押圧された場合には、幅方向中央部ほど変形が大きくなるので、適度に変形を許容して上下方向に傾くのを防止することで、電子機器又はその付属品が仕切壁を通過して移動するのが防止される。
【００３２】
第１３の発明では、上記舌片は、各仕切壁に少なくとも１個設けられている。
【００３３】
上記の構成によると、仕切壁の長さに合わせて複数の舌片を設けることで、適度に仕切壁の変形を防ぐことができるので、電子機器又はその付属品が仕切壁を通過して移動するのが防止される。
【００３４】
第１４の発明では、収納箱は、１枚の板紙から形成される構成とする。
【００３５】
上記の構成によると、部品点数が減るので、製造コストが下がり、かつ組立工数も減る上、紙製であるため、加工がし易くリサイクルも可能である。
【００３６】
第１５の発明では、上記底壁よりも若干大きな底板及び天板を有する外装箱の中に挿入され、上方から該天板又は外装箱の仕切板で覆われた状態で梱包される構成とする。
【００３７】
上記の構成によると、仕切壁は底壁で固定せざるを得ないので、底壁に設けた補強手段で仕切壁の変形を防いで電子機器又はその付属品が仕切壁を通過して移動するのを防止する効果が顕著に発揮される。
【００３８】
第１６の発明では、携帯通信機器及びその付属品を収納する収納箱とする。
【００３９】
上記の構成によると、携帯電話機などの携帯通信機器の収納に適した収納箱を作ることができ、輸送中もある程度の衝撃に耐えることができる。
【発明の効果】
【００４０】
以上説明したように、本発明によると、製品やその付属品を仕切壁で仕切られた別々の収納室に収納し、仕切壁を底壁に設けた補強手段で補強することにより、大きな衝撃を受けても仕切壁が外れずに、電子機器及びその付属品が収納室から移動しない簡単な構造の収納箱を提供することができる。
【発明を実施するための最良の形態】
【００４１】
以下図面を参照して本発明の実施形態を説明する。
【００４２】
図１は、本発明の実施形態に係る収納箱の展開図である。図２は、本発明の実施形態に係る収納箱の組立状態を示す斜視図である。図３は、本発明の実施形態に係る収納箱の平面図である。図４は、本発明の実施形態に係る収納箱に携帯電話機とその付属品を収納した状態を示す平面図である。
【００４３】
図１乃至図４に示すように、収納箱１は、例えば、携帯電話機の本体４１、電池４２、電池蓋４３、充電器４４、コード４５（共に図示せず）を収納するための直方体状紙製容器である。この収納箱１は、１枚の板紙１ａを折り畳むことで形成される。
【００４４】
図４に示すように、携帯電話機の製品出荷時には、例えば、収納箱１の底壁２よりも若干大きい底壁を有する外装箱５０に上記収納箱１が収納される。すなわち、外装箱５０の底部に収納箱１が収納され、その上部に仕切板が載置され、その上に説明書等（共に図示せず）が載置された状態で外装箱５０内に梱包される。このため、収納箱１には、天壁（上壁）が設けられていないが、天壁が一体に設けられた構造でもよい。
【００４５】
上記板紙１ａにおける矩形状の底壁２の周辺には、仕切壁用側壁としての第１側壁３、第２側壁４、第３側壁５及び第４側壁６が設けられている。第１乃至第４側壁３〜６のいずれも、フラップ部としての第１乃至第４内側側壁３ａ〜６ａを備えている。これら第１乃至第４側壁３〜６と、第１乃至第４内側側壁３ａ〜６ａとは、上面部３ｂ〜６ｂで連結され、第１乃至第４内側側壁３ａ〜６ａを内側に折り畳んで、上面部３ｂ〜６ｂが上側にくるようにして組み立てられるようになっている。このことで、第１乃至第４側壁３〜６は、二重構造（多重構造）になっている。
【００４６】
隣り合う第１乃至第４側壁３〜６間には、中央に折れ線７ａを有する袋部７が形成されている。また、第２内側側壁４ａ及び第４内側側壁６ａの両端には、補強フラップ４ｃ，６ｃがそれぞれ形成されている。この袋部７を折れ線７ａに沿って内側に折り畳み、折り畳んだ袋部７を同じく内側に折り込んだ補強フラップ４ｃ，６ｃに当接させるようにして第１内側側壁３ａ及び第３内側側壁５ａを折り畳むと、補強フラップ４ｃ，６ｃ及び袋部７が第１内側側壁３ａ及び第３内側側壁５ａの内部に納められるようになっている。
【００４７】
上記第１内側側壁３ａは、上記第２〜第４内側側壁４ａ〜６ａと構成が異なり、さらにフラップ部が伸びている。すなわち、第１内側側壁３ａは、第１側壁３よりも高さが短く、上記底壁２と略平行に、かつ該底壁２よりも高い位置に形成される上側底壁８が連結されている。さらに上側底壁８には、上記第１内側側壁３ａと略平行で同じ高さの舌付側壁９（図１にのみ示す）が連続している。この舌付側壁９は、底壁２まで伸びる支持用舌部９ａを有している。舌付側壁９と略平行に中央仕切壁１０が立設されるように、舌付側壁９と中央仕切壁１０とが中央上面部１１で連結されている。
【００４８】
第４内側側壁６ａの第１内側側壁３ａ側には、第１係合孔１５が形成されている。同様に第４内側側壁６ａの長手方向中央部には、第２係合孔１６及び第３係合孔１７が所定の間隔を空けて形成されている。第４内側側壁６ａの第３内側側壁５ａ側には第４係合孔１８が形成されている。
【００４９】
同様に上記第４内側側壁６ａに対向する第２内側側壁４ａの第１内側側壁３ａ側には、第１係合孔１５が形成されている。第２内側側壁４ａの長手方向中央部には、第２係合孔１６が形成されている。第２内側側壁４ａの第３内側側壁５ａ側には第４係合孔１８が形成されている。
【００５０】
上記第１内側側壁３ａは、上記第１係合孔１５に対応する位置に第１係合爪３ｃを備え、この第１係合爪３ｃを上記第２及び第４内側側壁４ａ，６ａの第１係合孔１５に挿入することにより、二重構造の第１側壁３が分解しないよう固定される。
【００５１】
上記中央仕切壁１０は、上記第２係合孔１６に対応する位置に第２係合爪１０ａを備え、この第２係合爪１０ａを第２係合孔１６に挿入することにより、中央仕切壁１０が移動しないように固定されている。この中央仕切壁１０と第１側壁３と上側底壁８で仕切られた空間により、携帯電話機本体４１を収納するための第１収納室２１が形成される。
【００５２】
上記中央仕切壁１０の一方には、電池４２及び電池蓋４３を挿入する第２収納室２２を形成するための第１及び第２仕切壁１２，１３が連結部１０ｂを介し、第１側壁３のフラップ部が伸びる方向と略垂直な方向（図１の上方向）に伸びるように連結されている。第１仕切壁１２と連結部１０ｂとの境には、上記第３係合孔１７に対応する位置に第３係合爪１２ａが形成されている。第２仕切壁１３の先端には、挿入部１３ａが形成され、この挿入部１３ａは折り畳むことにより、矢尻形状を有するようになっている。挿入部１３ａの先端には、固定用爪１３ｂが形成され、挿入部１３ａを折り畳んだときに、挿入部１３ａの根元にくるようになっている。中央仕切壁１０には、挿入部１３ａに対応する位置に該挿入部１３ａを係止するための第４係合孔１９が形成されている。第４係合孔１９には、固定用爪１３ｂが係合する固定用凹部１９ａが形成されている。
【００５３】
すなわち、上記中央仕切壁１０を立設させた状態で、連結部１０ｂを第４内側側壁６ａに当接させ、第１仕切壁１２を折り曲げて中央仕切壁１０と略平行に立設させ、さらに第２仕切壁１３を折り曲げて連結部１０ｂと略平行に立設させることにより、上記第２収納室２２が形成されるようになっている。第１仕切壁１２の第３係合爪１２ａを第３係合孔１７に係止することにより、第１仕切壁１２が第４内側側壁６ａに固定されている。第２仕切壁１３の挿入部１３ａを上記第４係合孔１９に挿通させた後、固定用爪１３ｂを固定用凹部１９ａに係合させることで第２仕切壁１３が中央仕切壁１０から抜け出さないようになっている。このように第１仕切壁１２及び第２仕切壁１３を底壁２に立設させることで、第１仕切壁１２及び第２仕切壁１３は適度に変形可能に構成されている。
【００５４】
中央仕切壁１０、第１仕切壁１２及び第２仕切壁１３によって仕切られた残りの空間で充電器４４、コード４５を収納するための第３収納室２３が形成されている。
【００５５】
本発明の特徴として、底壁２には、携帯電話機本体４１又はその付属品４２〜４５が第１及び第２仕切壁１２，１３を通過して移動するのを防止する補強手段が設けられている。具体的には、補強手段は、底壁２に設けたスリット２９及び該スリット２９に連続する切り起こし線３０（図１に破線で示す）で区切られた舌形状の第１及び第２舌片３１，３２を、該切り起こし線３０を境に折り曲げて起立させることにより形成されている。
【００５６】
上記第１舌片３１は、上記第１仕切壁１２を第１側壁３と反対側から押さえ付けるように構成されている。上記第１舌片３１の向きは、先端部が第１仕切壁１２の第１側壁３側に位置し、切り起こし線３０が第１側壁３と反対側に位置するように設定されている。第１舌片３１の切り起こし線３０は、第１仕切壁１２の幅方向中央側に行く程離れ、端に行く程接近するような傾きを有している。
【００５７】
上記第２舌片３２は、上記第２仕切壁１３を第４側壁６と反対側（第２収納室２２の外側）から押さえ付けるように構成されている。上記第２舌片３２の向きは、先端部が第２仕切壁１３の第４側壁６側に位置し、切り起こし線３０が第４側壁６と反対側に位置するように設定されている。第２舌片３２の切り起こし線３０は、第２仕切壁１３の幅方向中央側に行く程離れ、端に行く程接近するような傾きを有している。
【００５８】
上記第１及び第２舌片３１，３２の切り起こし線３０と第１及び第２仕切壁１２，１３とは、交差する傾きをもつように構成されている。すなわち、第１舌片３１の切り起こし線３０と第１仕切壁１２とのなす角度αは、１°≦α≦３０°で、第２舌片３２の切り起こし線３０と第２仕切壁１３とのなす角度βは、１°≦β≦３０°となっている。但し、第１及び第２舌片３１，３２の切り起こし線３０と第１及び第２仕切壁１２，１３とのなす角度α、βは、第１及び第２仕切壁１２，１３の長さに比例して大きくなるように構成されている（α＞β）。
【００５９】
−作用−
次に、本実施形態に係る収納箱の作用について説明する。
【００６０】
図５は、本発明の実施形態に係る収納箱の落下による衝撃を受けたときに第１及び第２仕切壁１２，１３が変形する様子を示す平面図である。
【００６１】
図４に示すように、第２収納室２２には、電池４２及び電池蓋４３が収納されている。特に電池４２は、質量が重いため落下の衝撃の影響を受けやすく、衝撃を受けると第１及び第２仕切壁１２，１３を超える可能性が高い。つまり、第１及び第２仕切壁１２，１３の下側を底壁２で完全に固定すると、上側のみに弾力性が残り、落下等の衝撃により内部に挿入された電池４２、電池蓋４３が第１及び第２仕切壁１２，１３を越えて第３収納室２３に出てくる。そして他の部品等との接触により傷発生の原因になりかねない。
【００６２】
しかし、本実施形態では、第１及び第２舌片３１，３２を設けているので、第１及び第２仕切壁１２，１３を超えて電池４２や電池蓋４３が第３収納室２３側に移動するのが防止される。
【００６３】
具体的には、図４に示す方向の力Ｆ１を受けたときには、第１仕切壁１２が撓み、力Ｆ２を受けたときには、第２仕切壁１３が撓む。つまり、第１及び第２舌片３１，３２の切り起こし線３０と第１及び第２仕切壁１２，１３とを、交差する傾きをもつように構成したことにより、第１及び第２仕切壁１２，１３の多少の変形を許容するので、第１及び第２仕切壁１２，１３が底壁２に対して傾かずに変形して第１及び第２仕切壁１２，１３の上側が開くように変形するのが遅れる。
【００６４】
また、第１及び第２舌片３１，３２は、第１及び第２仕切壁１２，１３を第１側壁３と反対側から押さえ付けるようにしたことにより、単に第１及び第２仕切壁１２，１３から突出する凸部を他の壁に挿入するのに比べ、第１側壁３と反対側へ押す力に対して強いので、薄い第１及び第２仕切壁１２，１３でも外方向への衝撃が吸収される。
【００６５】
また、第１及び第２舌片３１，３２の向きは、先端部が第２収納室２２側に位置し、切り起こし線３０が第２収納室２２と反対側に位置しているので、第１及び第２舌片３１，３２が切り起こされた状態から元に戻ろうとする力で第１及び第２仕切壁１２，１３の変形が防止される。
【００６６】
第１舌片３１の切り起こし線３０と第１仕切壁１２とのなす角度αは、１°≦α≦３０°で、第２舌片３２の切り起こし線３０と第２仕切壁１３とのなす角度βは、１°≦β≦３０°としたことにより、第１及び第２仕切壁１２，１３の適度な変形を許容するので、第１及び第２仕切壁１２，１３の上側のみが変形して上下方向に傾くのが遅れる。
【００６７】
また、角度α、βは、第１及び第２仕切壁１２，１３の長さに比例して大きくなるように構成したことにより、第１及び第２仕切壁１２，１３の長さに合わせて適度に第１及び第２仕切壁１２，１３が変形する。
【００６８】
第１及び第２舌片３１，３２の切り起こし線３０は、第１及び第２仕切壁１２，１３の幅方向中央側に行く程離れ、端に行く程接近するような傾きを有するようにしたことにより、第１及び第２仕切壁１２，１３が第１側壁３側から電池４２や電池蓋４３によって押圧された場合には、幅方向中央部ほど変形が大きくなるので、適度に変形を許容して上下方向に傾くのを防止する。
【００６９】
このようにして、第１及び第２仕切壁１２，１３の上側から電池４２や電池蓋４３が抜け出すのが防止され、携帯電話機本体４１及びその付属品４２〜４５が互いに傷つけ合うことはない。
【００７０】
したがって、本実施形態に係る収納箱１によると、大きな衝撃を受けても第１及び第２仕切壁１２，１３が外れずに、電池４２や電池蓋４３が第２収納室２２から移動しない簡単な構造の収納箱を提供することができる。
【００７１】
また、第１及び第２仕切壁１２，１３は、第１側壁３に連続して形成されているので、第１及び第２仕切壁１２，１３を別部材により形成する必要がない簡単な構造であり、また、単に１枚ものの第１及び第２仕切壁１２，１３を立設している場合と比べて強度が高い。
【００７２】
また、第１及び第２仕切壁１２，１３を別部品で構成することなく、底壁２の一部にスリット２９を成形して切り起こし線３０を境に起立させるだけで形成できるので、製造コストが抑えられる。
【００７３】
収納箱１は、１枚の板紙から形成されているため部品点数が減るので、製造コストが下がり、かつ組立工数も減る上、紙製であるため、加工がし易くリサイクルも可能である。
【００７４】
（その他の実施形態）
本発明は、上記実施形態について、以下のような構成としてもよい。
【００７５】
すなわち、上記実施形態では、第１及び第２仕切壁１２，１３を設けたが、これら第１及び第２仕切壁１２，１３を設けずに中央仕切壁１０自体を第１舌片３２で補強してもよい。
【００７６】
上記実施形態では、第１及び第２舌片３１，３２は、各第１及び第２仕切壁１２，１３に１個設けたが、複数設けてもよい。このことで、適度に第１及び第２仕切壁１２，１３の変形を防ぐことができるので、電子機器又はその付属品が第１及び第２仕切壁１２，１３を通過して移動するのが防止される。
【００７７】
上記実施形態では、仕切壁用側壁は、第１側壁３のみとしたが、第１側壁３以外の側壁も仕切壁用側壁としてもよい。この場合には、他の仕切壁用側壁にも中央仕切壁や第１及び第２仕切壁を設けるようにすればよい。
【００７８】
上記実施形態では、電子機器は、携帯電話機としたが、ＰＣ、モバイルツール、電子辞書、電卓、複写機等であってもよい。また、ＰＨＳ、ＰＤＡなどの携帯通信機器であってもよい。
【００７９】
なお、以上の実施形態は、本質的に好ましい例示であって、本発明、その適用物や用途の範囲を制限することを意図するものではない。
【図面の簡単な説明】
【００８０】
【図１】本発明の実施形態に係る収納箱の展開図である。
【図２】本発明の実施形態に係る収納箱の組立状態の斜視図である。
【図３】本発明の実施形態に係る収納箱の平面図である。
【図４】本発明の実施形態に係る収納箱に携帯電話機及びその付属品を収納した様子を示す平面図である。
【図５】本発明の実施形態に係る収納箱の落下による衝撃を受けたときに仕切壁が変形する様子を示す平面図である。
【符号の説明】
【００８１】
１      収納箱
１ａ    板紙
２      底壁
３      第１側壁（仕切壁用側壁）
４      第２側壁
５      第３側壁
６      第４側壁
８      上側底壁
１０      中央仕切壁
１２      第１仕切壁
１３      第２仕切壁
２１      第１収納室
２２      第２収納室
２９      スリット
３０      切り起こし線
３１      第１舌片（仕切壁の補強手段）
３２      第２舌片（仕切壁の補強手段）
４１      携帯電話機本体（電子機器）
４２〜４５      付属品
５０      外装箱
【図１】
2007284116.tif 000003
【図２】
2007284116.tif 000004
【図３】
2007284116.tif 000005
【図４】
2007284116.tif 000006
【図５】
2007284116.tif 000007